(57)【特許請求の範囲】
【請求項１】
キャップ本体の後端部にヘッド部材を嵌合固定し、且つ、前記キャップ本体内面に、ペン先を密封する内キャップを嵌合固定した筆記具用キャップであって、
キャップ本体が、前後方向に貫通する内孔と、該内孔に連通する前端開口部及び後端開口部とを備え、前記キャップ本体の内面に環状の凹凸部からなる内側嵌合部を一体に形成し、前記内側嵌合部より後方のキャップ本体内面に、前記内側嵌合部の内径より小さい内径を有する規制壁部を一体に形成し、前記内キャップの中間部外面に環状凸部または複数の分散状凸部からなる取付凸部を一体に形成し、前記取付凸部の外面に外側嵌合部を形成し、前記内側嵌合部と前記内キャップ外面の外側嵌合部とを乗り越え嵌合させるとともに、前記規制壁部に内キャップの後面を当接させ、前記規制壁部より後方のキャップ本体内面に、前記規制壁部の内径より小さい内径を有する内向突起を一体に形成し、ヘッド部材の外面に外向突起を形成し、前記キャップ本体内面の内向突起と前記ヘッド部材外面の外向突起とを前後方向に乗り越えさせ、前記内向突起と前記外向突起とを抜け止め係止させ、前記内キャップ内面に、筆記具本体の外面と気密嵌合可能な環状シール部を設けたことを特徴とする筆記具用キャップ。
【請求項２】
前記ヘッド部材外面の外向突起の外径を、前記内キャップ外面の外側嵌合部の外径よりも小さく形成した請求項１記載の筆記具用キャップ。
【請求項３】
前記ヘッド部材の前端部が内向突起より前方に突出されるとともに、前記内キャップの後端部が規制壁部の前端より後方に突出され、前記ヘッド部材の前端部と前記内キャップの後端部とが非接触状態に配置される請求項１または２記載の筆記具用キャップ。
【発明の詳細な説明】
【技術分野】
【０００１】
本発明は、筆記具用キャップに関する。詳細には、キャップ本体の後端部にヘッド部材を取り付け、キャップ本体内にペン先を密封する内キャップを収容した筆記具用キャップに関する。
【背景技術】
【０００２】
従来、特許文献１には、キャップ頂部の取付凹部の内周壁に環状突起（本願の内向突起に相当）を形成し、前記取付凹部の内周壁の環状突起と、頭冠（本願のヘッド部材に相当）の外周壁の環状突起とが乗り越え嵌合する構成が開示されている。
【先行技術文献】
【特許文献】
【０００３】
【特許文献１】実用新案登録第２５８００２５号公報
【発明の概要】
【発明が解決しようとする課題】
【０００４】
前記特許文献１のキャップは、キャップ本体を合成樹脂の射出成形により得る場合、前記キャップ頂部の取付凹部の内周壁の環状突起は、金型離型時のアンダーカット部となり、あまり大きく突出させることができない。そのため、製造ばらつきによっては、頭冠とキャップ本体との嵌合力の弱いものが発生し、さらに、取付凹部の内周壁の環状突起が経時によるクリープ変形により嵌合力が低下し、頭冠がキャップ本体から後方に脱落しやすくなる。特に、頭冠が軟質材料からなる場合や、頭冠がキャップ本体より外部に大きく突出する場合に、前記嵌合力の低下により、キャップ本体からの頭冠の脱落を回避することが困難となる。
【０００５】
本発明は、前記従来の問題点を解決するものであって、ヘッド部材をキャップ本体に強固に固定できる筆記具用キャップを提供しようとするものである。尚、本発明において、「前」とはキャップの開口側（即ちペン先挿入口側）を指し、「後」とはその反対側を指す。
【課題を解決するための手段】
【０００６】
［１］本願の第１の発明は、キャップ本体２の後端部にヘッド部材４を嵌合固定し、且つ、前記キャップ本体２内面に、ペン先を密封する内キャップ３を嵌合固定した筆記具用キャップであって、キャップ本体２が、前後方向に貫通する内孔と、該内孔に連通する前端開口部及び後端開口部とを備え、前記キャップ本体２の内面に環状の凹凸部からなる内側嵌合部２１を一体に形成し、前記内側嵌合部２１より後方のキャップ本体２内面に、前記内側嵌合部２１の内径より小さい内径を有する規制壁部２２を一体に形成し、前記内キャップ３の中間部外面に環状凸部または複数の分散状凸部からなる取付凸部３１を一体に形成し、前記取付凸部３１の外面に外側嵌合部３２を形成し、前記内側嵌合部２１と前記内キャップ３外面の外側嵌合部３２とを乗り越え嵌合させるとともに、前記規制壁部２２に内キャップ３の後面を当接させ、前記規制壁部２２より後方のキャップ本体２内面に、前記規制壁部２２の内径より小さい内径を有する内向突起２３を一体に形成し、ヘッド部材４の外面に外向突起４１を形成し、前記キャップ本体２内面の内向突起２３と前記ヘッド部材４外面の外向突起４１とを前後方向に乗り越えさせ、前記内向突起２３と前記外向突起４１とを抜け止め係止させ、前記内キャップ３内面に、筆記具本体の外面と気密嵌合可能な環状シール部３３を設けたことを要件とする。
【０００７】
前記第１の発明の筆記具用キャップ１は、キャップ本体２が、前後方向に貫通する内孔と、該内孔に連通する前端開口部及び後端開口部とを備え、規制壁部２２より後方のキャップ本体２内面に、規制壁部２２の内径より小さい内径を有する内向突起２３を一体に形成したことにより、キャップ本体２の内面に一体に形成する内向突起２３が金型の離型時のアンダーカット部となることを回避できる。それにより、前記内向突起２３の径方向の突出量を、従来のアンダーカット部からなる内向突起２３に比べ、格段に大きく形成することができ、内向突起２３とヘッド部材４の外向突起４１との乗り越え係止を強固にでき、ヘッド部材４の脱落を確実に防止できる。
【０００８】
【０００９】
前記第１発明の筆記具用キャップ１は、前記内キャップ３内面に、筆記具本体の外面と気密嵌合可能な環状シール部３３を設けたことにより、内キャップ３により筆記具本体のペン先を確実に密封できる。
【００１０】
［２］本願の第２の発明は、前記第１の発明において、前記ヘッド部材４外面の外向突起４１の外径を、前記内キャップ３外面の外側嵌合部３２の外径よりも小さく形成したことを要件とする。
【００１１】
前記第２の発明の筆記具用キャップ１は、ヘッド部材４外面の外向突起４１の外径を、内キャップ３外面の外側嵌合部３２の外径よりも小さく形成したことにより、外向突起４１と乗り越え係止させるために、キャップ本体２の内面に一体に形成される内向突起２３が、金型の離型時のアンダーカット部となることを一層確実に回避できる。それにより、前記内向突起２３の径方向の突出量を、従来のアンダーカット部からなる内向突起２３に比べ、格段に大きく形成することができ、内向突起２３とヘッド部材４の外向突起４１との乗り越え係止を強固にでき、ヘッド部材４の脱落を確実に防止できる。
【００１２】
［３］本願の第３の発明は、前記第１または第２の発明において、前記ヘッド部材４の前端部が内向突起２３より前方に突出されるとともに、前記内キャップ３の後端部が規制壁部２２の前端より後方に突出され、前記ヘッド部材４の前端部と前記内キャップ３の後端部とが非接触状態に配置されることを要件とする。
【００１３】
前記第３の発明の筆記具用キャップ１は、ヘッド部材４の前端部が内向突起２３より前方に突出され、且つ、内キャップ３の後端部が規制壁部２２の前端より後方に突出される構成により、内向突起２３と規制壁部２２前端との間のキャップ本体２内の空間を利用して、ヘッド部材４の前端部及び内キャップ３の後端部を収容したことにより、キャップ本体２内に無駄な空間が発生しない。
【００１４】
また、前記第３の発明の筆記具用キャップ１は、ヘッド部材４の前端部が内向突起２３より前方に突出され、且つ、内キャップ３の後端部が規制壁部２２の前端より後方に突出される構成にもかかわらず、ヘッド部材４の前端部と内キャップ３の後端部とが非接触状態に配置されることにより、ヘッド部材４と内キャップ３の互いの干渉を防止でき、ヘッド部材４外面の外向突起４１とキャップ本体２内面の内向突起２３の適正な抜け止め係止が得られるとともに、内キャップ３外面の外側嵌合部３２とキャップ本体２内面の内側嵌合部２１との適正な嵌合が得られる。
【発明の効果】
【００１５】
本発明の筆記具用キャップによれば、ヘッド部材４をキャップ本体に強固に固定でき、ヘッド部材４の脱落を確実に防止できる。
【図面の簡単な説明】
【００１６】
【図１】本発明の実施の形態の縦断面図である。二点鎖線は筆記具本体を示す。
【図２】図１のＡ−Ａ線断面図である。
【発明を実施するための形態】
【００１７】
図１及び図２に本発明の実施の形態を示す。
本実施の形態の筆記具用キャップ１は、キャップ本体２と、該キャップ本体２の内面に嵌合固定される内キャップ３と，該キャップ本体２の後端開口部に嵌合固定されるヘッド部材４と、からなる。
【００１８】
・キャップ本体
前記キャップ本体２は、合成樹脂の射出成形より得られる円筒体からなる。前記キャップ本体２は、内孔が軸方向に貫通され、前記内孔が前端開口部及び後端開口部より外部に連通される。前記キャップ本体２の前端開口部の内面には、筆記具本体のペン先側外面と嵌合可能な前端嵌合部２４が形成される。
【００１９】
・内側嵌合部
キャップ本体２の中間部の内面には、環状の凹凸部からなる内側嵌合部２１が一体に形成される。
【００２０】
・規制壁部
前記内側嵌合部２１よりも後方のキャップ本体２内面には、規制壁部２２が一体に形成される。前記規制壁部２２は、複数本（ここでは８本）の軸方向に延びるリブからなるが、これ以外にも、環状の小内径部でもよい。前記規制壁部２２の内径（即ちリブの径方向頂部に接する内接円の直径）は、内側嵌合部２１の内径より小さく形成される。前記規制壁部２２の前端面は、軸線に対して垂直に形成される。尚、前記内側嵌合部２１の内径とは、内側嵌合部２１の内径の最小内径をいう。尚、前記規制壁部２２の内径とは、規制壁部２２の前端の内径をいう。
【００２１】
・内向突起
前記規制壁部２２の後方のキャップ本体２内面（即ちキャップ本体２の後端開口部内面）には、内向突起２３が一体に形成される。前記内向突起２３は環状突起または複数個の分散状突起からなる。前記内向突起２３の内径は、規制壁部２２の内径より小さく形成される。前記内向突起２３の前端の角部は、鋭角または直角に形成される。前記内向突起２３の後面は、後方に向かい内径が次第に大きくなる傾斜面を有する。尚、前記内向突起２３の内径とは、内向突起２３の内径の最小内径をいう。
【００２２】
・内キャップ
前記内キャップ３は、前端が開口され且つ後端が閉鎖された有底円筒体である。前記内キャップ３は、合成樹脂の射出成形により得られる。前記内キャップ３の中間部外面は、環状凸部または複数の分散状凸部からなる取付凸部３１が一体に形成される。前記取付凸部３１の外面には、キャップ本体２内面の内側嵌合部２１と乗り越え嵌合可能な外側嵌合部３２が形成される。前記外側嵌合部３２の外径は、内側嵌合部２１と乗り越え嵌合可能なよう、前記内側嵌合部２１の内径より僅かに大きく形成される。
【００２３】
また、前記外側嵌合部３２の外径は、内キャップ３の後面が規制壁部２２の前端が当接可能なよう規制壁部２２の内径より大きく形成される。
【００２４】
前記取付凸部３１の後面は、軸線に対して垂直面となっている。前記取付凸部３１は、規制壁部２２の内径より大きい外径を有する。前記取付凸部３１の後面が、規制壁部２２と当接し、内キャップ３の後方移動が阻止される。
【００２５】
前記内キャップ３の内面には、筆記具本体の外面と気密嵌合可能な環状シール部３３が形成される。前記環状シール部３３は、環状突起または環状平滑面よりなる。
【００２６】
・ヘッド部材
前記ヘッド部材４は、大径部と、大径部の前方に一体に連設される小径部とからなり、弾性材料により一体に形成される。前記ヘッド部材４は、合成ゴムやエラストマー等の弾性材料により形成される。本実施の形態では、前記ヘッド部材４は、熱変色性の筆跡の表面を擦って筆跡を熱変色させる摩擦変色部材が採用される。前記弾性材料からなるヘッド部材４は、これ以外にも、消しゴム、または携帯情報端末に用いる入力ペンの入力部材等が挙げられる。
【００２７】
前記大径部の後面は凸曲面状を有する。前記大径部の前端には、キャップ本体２の後端開口部の開口端（具体的にはキャップ本体２の後端）に当接可能な肩部が形成される。前記大径部の最大外径は、キャップ本体２の後端開口部の内径よりも大きく且つキャップ本体２の後端の外径よりも小さく設定される。
【００２８】
前記小径部の前端部の外周面には環状の外向突起４１が一体に形成される。前記外向突起４１の前面は、後方に向かうに従い外径が次第に大きくなる傾斜面（即ち円錐面）を有する。前記外向突起４１の後端は、直角または鋭角の角部を有する。
また、前記外側嵌合部３２の外径は、内向突起２３の内径及びヘッド部材４の外向突起４１の外径より大きく形成される。それにより、キャップ本体２の内面に一体に形成される内向突起２３が、金型の離型時のアンダーカット部となることを一層確実に回避できる。その結果、前記内向突起２３の径方向の突出量を、従来のアンダーカット部からなる内向突起２３に比べ、格段に大きく形成することができ、内向突起２３とヘッド部材４の外向突起４１との乗り越え係止を強固にでき、ヘッド部材４の脱落を確実に防止できる。
【００２９】
前記外向突起４１の外径（最大外径）は、内向突起２３の内径（最小内径）より大きく形成され、外向突起４１と内向突起２３とが確実な抜け止め係止が可能となる。前記外向突起４１の外径（最大外径）は、内向突起２３後方のキャップ本体２の後端開口部の内径よりも小さく形成され、それにより、外向突起４１が内向突起２３を乗り越える直前までのヘッド部材４の円滑な挿入が可能となる。
【００３０】
ヘッド部材４のキャップ本体２の後端開口部への挿着が終了した状態（乗り越え嵌合が終了した状態）で、外向突起４１の後方のヘッド部材４の外面と、内向突起２３が嵌合する。
【００３１】
ヘッド部材４のキャップ本体２の後端開口部への挿着が終了した状態で、外向突起４１の後端（即ち最大外径部）が内向突起２３の前端（即ち最小内径部）よりも前方に位置し、内向突起２３の前端と外向突起４１の後端との間に、軸方向の隙間が形成される。それにより、外向突起４１が内向突起２３を乗り越える時、外向突起４１と内向突起２３との滑りが悪くても、外向突起４１が内向突起２３を確実に乗り越えることができる。
【００３２】
また、ヘッド部材４のキャップ本体２の後端開口部への挿着が終了した状態で、外向突起４１の外面と、キャップ本体２の内面（即ち規制壁部２２の内面）との間には、径方向の隙間が形成される。それにより、外向突起４１が内向突起２３を乗り越える時、外向突起４１と内向突起２３との滑りが悪くても、外向突起４１が内向突起２３を確実に乗り越えることができる。
【００３３】
また、前記内キャップ３の後端と前記ヘッド部材４の前端とは非接触状態で配置される。それにより、内キャップ３とヘッド部材４の互いの干渉を防止でき、ヘッド部材４外面の外向突起４１とキャップ本体２内面の内向突起２３の適正な抜け止め係止が得られるとともに、内キャップ３外面の外側嵌合部３２とキャップ本体２内面の内側嵌合部２１との適正な嵌合が得られる。
【符号の説明】
【００３４】
１  筆記具用キャップ
２  キャップ本体
２１  内側嵌合部
２２  規制壁部
２３  内向突起
２４  前端嵌合部
３  内キャップ
３１  取付凸部
３２  外側嵌合部
３３  環状シール部
４  ヘッド部材
４１  外向突起
【図１】
0005276900.tif 000002
【図２】
0005276900.tif 000003